(57)【要約】  本発明は、可動床板付の密閉式二輪オートバイに係り、特に、二輪オートバイは密閉式操縦室を装備している。この操縦室の床板７には、運転者の両側にそれぞれ可動床板３がある。可動床板３は、揺動アームを介して上下動するように車体にヒンジ接合されている。本発明は既存の二輪オートバイの運転方式から変化させる必要がない。操作が便利で、安全で信頼性が高く、車体の安全性や快適性を高めることができる。【選択図】図１
2008505801.tif 000002
【特許請求の範囲】
【請求項１】
可動床板付の密閉式操縦室を有する二輪オートバイであって、
前記操縦室の床の運転者の左右の両側に相互に分離された可動床板が配置され、前記可動床板はヒンジによって揺動アームを介して上下に動くように前記二輪オートバイの車体に接合されていることを特徴とする密閉式二輪オートバイ。
【請求項２】
前記可動床板が、前記ヒンジによって前記揺動アームを介して前記二輪オートバイの後部に接合されることを特徴とする請求項１に記載の密閉式二輪オートバイ。
【請求項３】
前記操縦室の前記床板と前記可動床板との間に、前記操縦室の密閉状態を維持するための伸縮接合機構を備えていることを特徴とする請求項１に記載の密閉式二輪オートバイ。
【請求項４】
前記伸縮接合機構が、スリーブを有するフード或いは互いに接合された多数のフードを備え、それが伸縮することを特徴とする請求項３に記載の密閉式二輪オートバイ。
【請求項５】
前記可動床板と前記二輪オートバイの車体との間、あるいは前記揺動アームと二輪オートバイの車体との間に、前記可動床板を戻すための弾性戻し部材が設けられていることを特徴とする請求項１に記載の密閉式二輪オートバイ。
【請求項６】
前記可動床板の上に設けられるガイドロッドと、前記ガイドロッドと協働する前記操縦室の内部のガイドスリーブとを備えていることを特徴とする請求項１又は５に記載の密閉式二輪オートバイ。
【請求項７】
ヒンジによって前記ガイドスリーブに接合された固定装置を備え、前記固定装置は、前記ガイドロッドと係合する固定ブレーキと、前記ガイドスリーブに対して固定ブレーキの制御をする金属ワイヤとを備え、
前記金属ワイヤの他端が固定ハンドルに接合され、前記ガイドスリーブと固定ブレーキの間には、固定ブレーキのための戻しバネを更に備えていることを特徴とする請求項６に記載の密閉式二輪オートバイ。
【請求項８】
前記固定ブレーキは前記ガイドロッドに対向する歯状部を備え、更に前記ガイドロッドには前記固定ブレーキの歯状部と係合する歯状部を備えていることを特徴とする請求項７に記載の密閉式二輪オートバイ。
【請求項９】
前記可動床板の下面を覆う耐摩耗材料からなる耐摩耗層を備えていることを特徴とする請求項１に記載の密閉式二輪オートバイ。
【請求項１０】
前記可動床板の下側部分に接触輪が設けられていることを特徴とする請求項１に記載の密閉式二輪オートバイ。
【請求項１１】
前記接触輪としては、キャスタ輪が選択されることを特徴とする請求項１０に記載の密閉式二輪オートバイ。
【請求項１２】
前記接触輪は、可動床板に固定されるか、あるいは前記可動床板に着脱容易に取り付けられていることを特徴とする請求項１０に記載の密閉式二輪オートバイ。
【請求項１３】
前記接触輪は、高さ調整機構によって前記可動床板に接合されていることを特徴とする請求項１０に記載の密閉式二輪オートバイ。
【請求項１４】
前記高さ調整機構は、前記可動床板の下側部分に接合される取付ベースを備え、この取付ベースは昇降反発滑りスタッドを収容し、前記接触輪は前記昇降反発滑りスタッドに固定され、
前記昇降反発滑りスタッドの両側の１８０°の対応する位置には傾斜した作動溝が設けられ、各作動溝の両端には直線状の位置決めラッチ切欠きが下向きに形成され、位置決めピンが前記傾斜した作動溝を通して前記取付ベースに固定され、前記昇降反発滑りスタッドの上側部分には調整ノブが設けられ、この調整ノブと前記取付ベースとの間には固定用バネが配置されていることを特徴とする請求項１３に記載の密閉式二輪オートバイ。
【発明の詳細な説明】
【技術分野】
【０００１】
本発明は、ある種の交通手段に係り、特に、可動床板を備えた密封式二輪オートバイに関する。
【背景技術】
【０００２】
二輪オートバイは、ある種の一般的な交通手段である。二輪オートバイは自動車と比べて寸法が小さく、価格が安く、低いコストで、簡単に使用できるなどの利点がある。
【０００３】
しかし、同時に二輪オートバイには、安全性や快適性などに関する問題点が考えられる。これらの問題点を解決するために、多くの人々は二輪オートバイに対する多大な努力を行っている。それらをまとめると、これらの問題点を解決するために、概して３種類の方法がある。
【０００４】
第１の方法は、ＢＭＷ社のＣ１オートバイのように、二輪オートバイの前部にフロントガラスを据え付け、かつ二輪オートバイの上方と後方に防護装置を据え付けることである。しかし、欠点は二輪オートバイの２つの側面に防護装置がなく、上記した安全性と快適性などの問題を完全には解決できないことである。
【０００５】
第２の方法は、ある種の「密閉式二輪オートバイ」を開示する中国特許「ＺＬ９６２４８４７６．８」に記載されるように、二輪オートバイに密閉式外殻を装備するものである。この構造は、ある種自動車に類似しており、二輪オートバイの回りに密閉式の構造物を備えており、そして外殻の両側にドアを据え付けるものである。ドアは上下の２つの部分、すなわち上側部分と下側部分とに分けられており、ドアの下側部分は外側に向かって開くようにヒンジによって接合されている。これは、二輪オートバイが減速するあるいは間もなく停車する時に、運転者の足を地面に触れさせるためのものである。しかし、それはいくつかの問題を有している。
【０００６】
１．ドアの上側部分と下側部分がヒンジで連結され、地面に触れるために運転者の足を外部に延ばせるようにするために、ドアの下側部分は弾性材料で作られており、このためこの構造では完全に密閉されてはいない。
【０００７】
２．また、ドアを開くのはあまり簡単ではなく、結果としてはむしろ煩雑である。
【０００８】
３．また、二輪オートバイを減速させあるいは間もなく停車させる時には、動いている間でも二輪オートバイのバランスを維持するために、運転者が足を外へ延ばさなければならない。しかし、もし運転者が注意をしない場合、運転者の足がドアの外側にとても容易に引っかかってしまい、これは安全に関してとても深刻なことである。
【０００９】
第３の方法は、ある種の「密閉式二輪オートバイ」を開示する、中国特許の「ＺＬ９８１０６５７２．４」のように、二輪オートバイの回りに外殻を追加するものである。この解決方法は、二輪オートバイに補助車輪と制御機構を装備するもので、オートバイが発車あるいは停車するときに、人の足の代わりにオートバイのバランスを取るために、地面に接触するための補助車輪に指令できるように、開閉の状態を制御できる。しかし、この解決方法にも問題点がある。
【００１０】
１．構造が複雑で操作に不都合である点である。その上いったん補助車輪の制御機構が故障すると、オートバイを停車させるのが困難である。
【００１１】
２．また、二輪オートバイのバランスを維持するために必要とする支え力の大きさは、地面の状況とオートバイの速度に直接関連しており、従って補助車輪は複雑な制御機構によって地面に延びる。これでは、運転者が彼の足で車体を制御できる上記例示のようには、オートバイを支持するための適切な力を提供することはできず、地面の状況とオートバイの速度の動的変化にも対応することがきない。補助車輪によって地面に接触して正確な大きさの適当な支え力を提供することができない。しかも、この車輌で提供される方法で対応するのはとても困難であり、運転者は制御及び操作の点での問題を抱えるかもしれない。
【００１２】
３．更に、操作方式を一の形式から他の形式に変えるには、大きく異なるアプローチが求められ、そのため運転者がこの変化に追従するのは困難である。そのような二輪オートバイを運転する場合、人々は補助車輪を持ち上げなければならない。その場合、二輪オートバイは地面との間に２つ接触点を持ち、それは既存の二輪オートバイを運転するのと同じである。そこで、運転者はバランスを取るために、身体と車体の重心の位置を変化させなければならない。このような状態は私達が「二輪運転状態」と称する。一方、二輪オートバイが地面との間に４つの接触点を有する場合、補助車輪が地面と接触し、運転者はオートバイと運転者の重心に関するバランス効果を考慮する必要はなく、オートバイはアンバランスによって倒れることはない。このような状態を私達は「多輪運転状態」と称している。このような状態の下で、運転者はオートバイのバランスを維持するために、身体と車体の両者の重心位置を変える必要はない。こうして、運転者は前の状態から後の状態に繰り返し変える必要がある。運転方式の変化があまりに大きく、運転者はそれらの変化に適応しにくく、操作の難易度が高く、追加の技能が要求されることとなる。そのため、この解決方法は、二輪オートバイの運転に危険な要素を増大させてしまう。
【発明の開示】
【発明が解決しようとする課題】
【００１３】
本発明が提案するのは、不十分な密閉状態、操作の困難性、高い運転技能の必要性、運転者の危険性などの上記技術的問題点を解決するために設計されたものである。ここに、可動床板を有する密閉式二輪オートバイを提供し、それは構造が簡単で、操作が簡単で、安全且つ高信頼性という特徴を併せ持っている。
【課題を解決するための手段】
【００１４】
本発明は上記の技術的問題点を解決するために、次の通りの解決手段をとって対応する。すなわち、可動床板付の密封式二輪オートバイにおいて、この二輪オートバイには密閉式操縦室を備える。操縦室の床板には、床の両側に分離された可動床板が設けられ、可動床板はヒンジによって二輪オートバイの車体に接合された揺動アームを介して上下に移動できる。
【００１５】
最適な解決手法では、ヒンジ及び揺動アームを介してオートバイの後方に結合された上記可動床板によって得られる。
【００１６】
操縦室の外部に対する密封状態を維持するために、操縦室の床板と可動床板の間に伸縮接合機構も追加される。
【００１７】
最適な解決手法では、スリーブ或いは複数の構成部品が一体に接続された覆いを有する伸縮接合機構である。
【００１８】
本発明は、上記操縦室の床と可動床板との間、あるいは揺動アームとオートバイの車体の間に、弾性戻し部材を備えており、これは可動床板を原位置に復帰させるものである。
【００１９】
本発明において、可動床板に接続されたガイドロッドと、ガイドロッドと協働する操縦室内のガイドスリーブも備えている。こうして、この機構によってガイドロッドとガイドスリーブとの作用を通して、可動床板の上下の動きを案内することができる。
【００２０】
本発明において、ガイドスリーブにはガイドロッドを固定するためにガイドロッドと協働（係合）する固定装置があり、その固定装置は自動式あるいは手動式に作動できる。
【００２１】
例えば、手動式固定装置は、ヒンジを介してガイドスリーブに配置され、ガイドロッドと互いに協働する固定ブレーキと、ガイドスリーブの固定ブレーキを制御する金属ワイヤが設けられ、この金属ワイヤの他端と固定ハンドルとが互いに接続されている。ガイドスリーブと固定ブレーキとの間には戻しバネが挿入され、これにより二輪オートバイが停車するときに、車輌を停車状態に維持するように、固定ブレーキをガイドロッドに固定することにより可動床板を固定するために固定ハンドルを動かす。二輪オートバイが発車の状態にされると、固定ハンドルを放して固定ブレーキとガイドロッドとを離間させ、可動床板に対するロックを解除する。
【００２２】
この解決手法においては、固定ブレーキとガイドロッドの両方の対応位置に歯状部が設けられ、固定ブレーキとガイドロッドのそれぞれの歯状部が相互にかみ合う。
【００２３】
さらに、上記可動床板の下面は耐摩耗層で覆われている。従って、運転者が可動床板を踏み下げると、この耐摩耗層が地面と接触し、運転者の足の力が直接地面に向けられ、二輪オートバイのバランスが維持される。
【００２４】
本発明において、上記可動床板の下に、接触輪を設けてもよい。接触輪としては、キャスタ輪が第１に選ばれる。
【００２５】
上述した接触輪は可動床板の下に固定的に取り付けてもよいし、あるいは可動床板に迅速な取り付け及び取り外しが可能なように取り付けてもよい。
【００２６】
別の最適な解決手法としては、可動床板の下側部分に接続される取付ベースに、上記高さ調整機構を追加することである。
【００２７】
取付ベースの内部には昇降反発滑りスタッド(rising and falling rebound slide stud)が設けられ、接触輪は昇降反発滑りスタッドの下側部分に固定される。反発滑りスタッドの２つの側部の対応位置には、傾斜する１８０°対向した作動溝が設けられ、各作動溝の両端には下方に延びる個別の直線状の位置決めラッチ切欠きがある。位置決めピンが上記傾斜する動作溝を通して取付ベースに固定されるように配置される。この昇降反発滑りスタッドの上側部分には、調整ノブが固定され、そしてこの調整ノブと取付ベースとの間に圧縮バネが設けられる。
【発明の効果】
【００２８】
本発明は、従来技術又は装置と比較して次の通りの利点がある。
１．構造が簡単になっている。すなわち、可動床板と調整装置の部品の数が少なく、かつ製造しやすく、操縦室の床板を可動床板に接続する伸縮接合機構があるので、密閉性が高い。
【００２９】
２．また、操作が便利である。すなわち、既存の二輪オートバイの以前からの操作方式から変化させる必要がない。運転者がオートバイを減速あるいは停車させたい時に、運転者は足を両側に伸ばし可動床板を踏み下げる単一動作をするだけで、単純である。更に、運転者の足によって得られる力と、可動床板の戻しバネによる力と、地面からの反力によって、バランスが取れた状態となる。このことは、どのような路面状況や速度であっても、オートバイのバランスを常に補償する。この結果は、運転者の足を地面に付くことによって既存の二輪オートバイで得られる結果と同じである。
【００３０】
３．安全で信頼できる。すなわち、減速するあるいは発車の時に、直接に足を地面につく必要は無く、可動床板が足をけがから保護するため、オートバイの安全性や快適性を高める。
【発明を実施するための最良の形態】
【００３１】
［実施例１］
図１、図２、図３及び図４に示されるように、本発明は二輪オートバイ５を開示している。二輪オートバイ５の回りには、外殻１、ドア２及び床板７で作られた密閉式操縦室が取り付けられている。密閉式操縦室の床板７には、運転者の左右両側に位置してヒンジと揺動アーム６を介して二輪オートバイに接合された各可動床板３が設けられている。この可動床板３は、ヒンジを軸として用いて上下に動かすことができる。ここで、オートバイの車体というのは、二輪オートバイの主構造体としての二輪オートバイの本質的車体を含むだけではなく、外殻１のようにオートバイの本質的車体に取り付けられた何らかの部品も含む意味である。
【００３２】
従って、減速あるいは停車させたい時に、運転者が容易に足を両側に伸ばし、可動床板を地面に下げるために可動床板３を踏み下げる。そのとき、運転者の足の作用力がすぐ可動床板３を介して地面に向けられ、二輪オートバイのバランスを維持できる。これは、既存の二輪オートバイを運転する技術と同じ結果をもたらす。こうして、二輪オートバイの運転方式を変化させる必要がなく、更に、足と地面が直接に触れないから、可動床板３が足を保護し有害な傷を受けず、二輪オートバイの安全性や快適性を高める。
【００３３】
最適な解決手法は上記可動床板３によって示されており、この可動床板３は、揺動アーム６を介してヒンジによって二輪オートバイの車体の後方に接続される。
【００３４】
この例において、可動床板３の下面には、プラスチックやゴムのような耐摩耗材料からなる耐摩耗層が設けられている。可動床板３を踏み下げると、この耐摩耗層が地面と触れて二輪オートバイのバランスを維持する。
【００３５】
可動床板３にはまた、ガイドロッド８が取り付けられている。このガイドロッド８は曲がった形状の鉛直棒であり、その下方部分は可動床板３の前方に固定されている。操縦室の中にはガイドロッド８と協働するガイドスリーブ９があり、そこでガイドロッド８はガイドスリーブ９の内部で上下に移動できる。ガイドスリーブ９は、可動床板３の移動を案内するために外殻１に固定されている。
【００３６】
本発明は、上記した可動床板３と二輪オートバイの車体との間に、あるいは可動床板３と揺動アーム６との間に配置された弾性戻し部材を備え、そこで弾性戻し部材は、可動床板が動作した後でそれを戻すことができる。この実施例の中において、この弾性戻し部材は、端部を有する戻しバネ１３であり、一端はガイドロッド８の上部に取り付けられており、その他端は二輪オートバイの外殻１に固定されたフック１４に取り付けられている。
【００３７】
本発明において、ガイドロッド８を固定するため、ガイドロッド８と協働するガイドスリーブ９に固定装置を設けることができ、固定装置は自動的あるいは手動的に作動できる。
【００３８】
具体的な例としては、固定装置は手動で動作するものであり、この固定装置はヒンジを介してガイドスリーブ９に接合されている。固定装置はまた、ガイドロッド８と係合する固定ブレーキ１０と、ガイドスリーブ９に対して固定ブレーキ１０を制御する金属ワイヤ１２を備え、金属ワイヤの他端は固定ハンドル４に接合される。ガイドスリーブ９と固定ブレーキ１０の間には、固定ブレーキのための戻しバネ１１が設けられている。この固定ブレーキ１０とガイドロッド８との間の固定は、従来の固定構造によって実現されるが、例えば、固定ブレーキ１０あるいはガイドロッド８の一方に案内溝を設け、他方には対応する位置決めブロックを設け、それらがガイドロッド８を固定できるように、案内溝内に位置決めブロックを配置する。最適な解決手法としては、ガイドロッド８の上側部分に対応する固定ブレーキ１０の固定歯状部と、固定ブレーキ１０に対応するガイドロッド８に形成される歯状部である。歯状部がお互いに正確に係合された場合、ガイドロッド８が固定される。
【００３９】
このように、運転者がオートバイを停車させたい場合、固定ブレーキ１０の歯状部とガイドロッド８とを互いに正確に係合させるために、固定ハンドル４を引くことによって金属ワイヤ１２を固定することができ、これにより、ガイドロッド８が固定される。固定ハンドル４を緩めながら、戻しバネ１１の作用の下で、固定ブレーキ１０とガイドロッド８を離間させることで、ガイドロッド８を解放することができる。
【００４０】
本発明において、図４、図５に示すように、二輪オートバイは操縦室の床板７と可動床板３の間に伸縮接合機構１５が設けられ、これは操縦室を密閉状態に維持するためのものである。本実施例において、上記伸縮接合機構１５はスリーブで覆われたゴムで製作されている。この伸縮接合機構１５は、互いに接合される多数の小さな部品から作られてもよい。上述した伸縮接合機構１５の上部は操縦室の床板７と互いに接合されるが、伸縮接合機構１５の下部が可動床板３に接合され、これにより可動床板３が上下移動するときにも密閉状態を維持することができる。
【００４１】
本発明の運転方式は、既存の二輪オートバイに対する運転方式と同様である。二輪オートバイを減速あるいは停車させる際に、運転者が可動床板３を踏み下げて、底を地面に接触させ、このとき可動床板３を通して足によって作用する力は地面に向けられ、車体のバランスが維持される。車体が完全に止まった後で、固定ブレーキ１０の歯状部とガイドロッド８とを互いに係合させるために、固定ハンドル４を引くことでガイドロッド８が固定でき、これにより可動床板３を固定でき、二輪オートバイを駐車状態に維持できる。運転を開始する場合は、最初に可動床板３の上に足を置き、そして固定ブレーキ１０の歯状部とガイドロッド８との固定を解除するように、固定ハンドル４を解放し、その後二輪オートバイの運転を開始して足を運転位置まで持ち上げる。
【００４２】
地面と接触する部分は十分に大きいため、砂や草、雪道、泥道及び濡れた路面などの非日常的な他の形態の路面だけでなく、平坦でない路面にも適応できる。
【００４３】
［実施例２］
本実施例２の基本構成と効果は実施例１と同様なので、ここでは重複説明はしない。
【００４４】
図５に示すように、実施例２と実施例１の違いは、可動床板３に更に接触輪１６がある点である。運転者が可動床板３を踏み下げるとき、この可動床板３は接触輪１６によって地面と接触し、二輪オートバイのバランスが維持される。接触輪１６は、街路運転のような堅くて滑らかな路面の上での運転にさらに適する。
【００４５】
この接触輪１６としては、最初にキャスタ輪が選択される。これはそれが地面に触れた後はその方向と独立な可動床板３の作用に対して適応するためである。
【００４６】
この接触輪１６は、可動床板３の下に取り付けてもよいが、可動床板３の下側部分に対して迅速に取り付け及び取り外しができるように接合してもよい。こうすることで、運転者が路面状態によって接触輪１６を使用することができる。堅くて滑らかな路面で用いる際には、接触輪１６を据え付ける。平坦でない舗装路で運転する際には、接触輪１６を外す。
【００４７】
［実施例３］
本実施例３の基本構成と効果は実施例２と同様なので、ここでは重複説明はしない。
【００４８】
図６、図７に示すように、実施例３と実施例２との相違点は、接触輪１６の上げ下げを制御できるように、高さ調整機構を介して接触輪１が可動床板３に接合されている点である。その結果、二輪オートバイは異なった路面状況に対応することができる。
【００４９】
本実施例において、図６、図７に示すように、既述した高さ調整機構は可動床板３の下側部分に接合され、昇降反発滑りスタッドを収容する取付ベース１７を備えている。昇降反発滑りスタッド２０の両側の対応位置には、お互いに１８０°の間隔を空けた傾斜した作動溝２３があり、この各作動溝２３の両側には、下向きで直線状の位置決めラッチ切欠き２４が設けられている。位置決めピン１８が上記傾斜した作動溝２３によって取付ベース１７に固定される。昇降反発滑りスタッド２０の上側部分には、固定ピン２２によって調整ノブ２１が固定され、この調整ノブ２１と取付ベース１７の間に圧縮バネ１９が設けられ、接触輪１６が昇降反発滑りスタッド２０の下側部分に接合される。この接触輪の高さを調整する必要がある際には、調整ノブ２１を押えながら所定角度だけ回転させる。回転するうちに、昇降反発滑りスタッド２０の傾斜した作動溝２３が位置決めピン１８に沿って滑り、接触輪１６を上か下かへ動かす。位置決めピン１８が傾斜した作動溝２３の２つの端部の何れかに位置したら、調整ノブ２１を回すの停止する。このとき、調整ノブ２１を放すと、固定バネ１９の効果の下で、位置決めピン１８と協働する、傾斜した作動溝２３のラッチ切欠き２４の端部に向けられ、これにより、路面の状態に従って上昇位置又は下降位置に接触輪１６を設定できる。
【００５０】
可動床板３を踏み下げている時に、調整ノブ２１が同時に踏まれてしまうことを防ぐために、この調整ノブ２１の上面を可動床板３の上面より低く配置するべきである。さらに、可動床板３に関して調整ノブ２１の位置に対応している場所に可動蓋を設置してもよい。この可動蓋の高さを可動床板３上の表面と同一面とする。通常状態ではこの可動蓋を可動床板３上に配置し、可動床板３の調整ノブ２１を保護する。そして、接触輪の高さを調整する必要のある時に、この調整ノブ２１を使用するために可動蓋を開け、そして高さを調節する。
【００５１】
上述の高さ調整機能は１つの具体的な実施例を示すだけであり、他の多くの応用が可能である。
【００５２】
上記実施例は、本発明を説明するための単なる実際の例であり、本願発明を狭く拘束するものではない。例えば、接触輪１６は飛行機の折り畳み構造のように可動床板３に取り付けることも可能であり、接触輪１６が不要な場合は、それを退避させることができる。
【図面の簡単な説明】
【００５３】
【図１】本発明の構造を示す概念図である。
【図２】図１の平面図である。
【図３】本発明の可動床板および制御機構の概念図である。
【図４】本発明の可動床板が降下する際の概念図である。
【図５】本発明の実施例２の構造概念図である。
【図６】本発明の実施例３における、接触輪の昇降状態の概念図である。
【図７】接触輪の昇降反発滑りスタッドの構造概念図である。
【図１】
2008505801.tif 000003
【図２】
2008505801.tif 000004
【図３】
2008505801.tif 000005
【図４】
2008505801.tif 000006
【図５】
2008505801.tif 000007
【図６】
2008505801.tif 000008
【図７】
2008505801.tif 000009
【国際調査報告】
2008505801.tif 000010
2008505801.tif 000011
2008505801.tif 000012
2008505801.tif 000013